(57)【要約】【目的】入場券に含まれている特殊なコードに基づいてＩｎｔｅｒ    Ｎｅｔを介してサービスでしか得ることのできない出力物を様々な場所で出力することができるプリント出力注文方法を提供すること。【構成】発券者の登録手段により登録された利用者が入力端末により所定のサーバにログインし、前記サーバから前記入力端末に供給される注文画面に従ってイベント入場券を注文し、前記注文に対して前記発券者は、それぞれのイベント入場券に特殊なコードを添付し発券する発券方法であり、前記特殊なコードにはユーザ名、イベント名、プリントサービスを受けることが可能か等の情報を含むことを特徴とする。【選択図】      図１
2004280409.tif 000002
【特許請求の範囲】
【請求項１】
発券者の登録手段により登録された利用者が入力端末により所定のサーバにログインし、前記サーバから前記入力端末に供給される注文画面に従ってイベント入場券を注文し、前記注文に対して前記発券者は、それぞれのイベント入場券に特殊なコードを添付し発券する発券方法であり、前記特殊なコードにはユーザ名、イベント名、プリントサービスを受けることが可能か等の情報を含むことを特徴とするプリント出力注文方法。
【請求項２】
前記購入したイベント入場券を入力端末に挿入し、前記入力端末により、前記サーバにログインし、前記サーバから前記入力端末に供給される注文画面に従って所望するプリント出力を注文する方法であって、前記注文画面には、前記利用者が希望するプリント出力受け取り場所やプリント出力種類が含まれることを特徴とするのプリント出力注文方法。
【請求項３】
ユーザが購入したイベント入場券を前記入力端末に挿入した際に、前記特殊なコードを前記入力端末により、前記サーバが取得することを特徴とする請求項２記載のプリント出力注文方法。
【請求項４】
前記サーバは、前記特殊なコードからユーザ名、イベント名等を取得し、データベース化し、前記利用者にとって有益な情報のみを前記利用者がアクセスしたり、前記発券者がプリント出力物を郵送することを特徴とする請求項１又は２記載のプリント出力注文方法。
【請求項５】
前記利用者の希望により、前記発券者が所有する出力装置によりプリント出力し、利用者宅までプリント出力物を宅配することを特徴とする請求項２記載のプリント出力注文方法。
【請求項６】
主催者が所有する出力装置によりプリント出力し、その場でプリント出力物を手にすることができることを特徴とする請求項１又は２記載のプリント出力注文方法。
【発明の詳細な説明】
【０００１】
【発明の属する技術分野】
本発明は、入場券を利用した記念プリント出力の注文方法に関する。
【０００２】
【従来の技術】
映画館、劇場、スキー場において、各々の施設に入場する際に入場券が必要となる。各々のファンの中には、これらの入場券をその場に来た証として大切に保管する人もいる。各々の施設にはパンフレットが販売されていて、誰でもそのパンフレットを購入することができる。やはり、各々のファンは、パンフレットも思い出の品として大切に保管する。
【０００３】
【発明が解決しようとする課題】
これら全ての場合において、誰でも同じ物を手にすることができる点が、希少価値を求めるファンにとっては嬉しくない。又、入場チケットは、最近ではコンビニエンスストア等で気軽に購入することができるが、パンフレットはその施設に直接行かなければ手に入れることができない。
【０００４】
パンフレットの場合、入場前には時間がなく、上映後に購入する場合には品切れになっていることもあり得る。
【０００５】
本発明は上記問題に鑑みてなされたもので、その目的とする処は、入場券に含まれている特殊なコードに基づいてＩｎｔｅｒ    Ｎｅｔを介してサービスでしか得ることのできない出力物を様々な場所で出力することができるプリント出力注文方法を提供することにある。又、本発明は、その入場券に含まれる特殊なコードに基づいてそのユーザが希望するような情報のみを提供することを目的とする。
【０００６】
【課題を解決するための手段】
本発明は、前記の目的を達成する一手段として以下の構成を備える。
【０００７】
本発明に係る注文方法は、発券者の登録手段により登録されている利用者が、購入した入場券を入力装置に挿入し、入力端末により、所定のサーバにログインし、前記サーバから前記入力手段に供給される注文画面に従い、所望するプリント出力を注文する注文方法であり、前記注文画面には、注文者が希望するプリント出力種類が含まれることを特徴とする。
【０００８】
【発明の実施の形態】
図１に本発明の概略図を示す。
【０００９】
ユーザは自宅１０４にて、発券者１０２に対してインターネット１０５を介して、このプリントサービスを受けるためのユーザ登録をする。又、ユーザは、コンビニエンスストア１０３や会場１０１にてユーザ登録をすることも可能である。発券者１０２は、情報管理サーバ１０８により、それぞれのユーザの住所やプリントサービスを受けるためのパスワード等を管理する。
【００１０】
ユーザ登録を済ませたユーザが発券者１０２から入場券を購入すると、注文場所に応じて、発券者１０２は入場券を発券する。又、情報管理サーバ１０８は、ユーザが購入した入場券に付加されている特殊なコードの内容を、Ｉｎｔｅｒ
Ｎｅｔ１０５により収集して、情報管理サーバ１０８内のユーザのデータベースに管理することにより、そのユーザの好み等を検討することができる。
それらの情報に基づいて、発券者１０２はそのユーザにとって有意義な独自のプリント出力物を作成し、ダイレクトメール等によりユーザ宅１０４に郵送する。ユーザは、会場１０１やコンビニエンスストア１０３においてこのプリントサービスを受ける場合には、購入した入場券を会場１０１やコンビニエンスストア１０３に置かれている読取及び入力端末１０６や１１０に挿入する。更に、ユーザ登録時に発券者１０２の情報管理サーバ１０８に登録されているパスワードを読取及び入力端末１０６や１１０の入力画面により入力する。
【００１１】
次に、プリント出力の種類等を読取及び入力端末１０６や１１０の入力画面から入力する。ユーザからの入力が全て終了したら、読取及び入力端末１０６や１１０は、Ｉｎｔｅｒ    Ｎｅｔ１０５を介して、発券者１０２にある情報管理サーバ１０８にそれらの情報を送信する。情報を受け取った情報管理サーバ１０８は、登録ユーザであるかどうかの判定や、ユーザの希望するプリント出力にプリントデータを作成する。
【００１２】
プリントデータが作成されると情報管理サーバ１０８は、Ｉｎｔｅｒ    Ｎｅｔ１０５を介して、作成したプリントデータを会場１０１やコンビニエンスストア１０３に設置されているカラー複写機１０７や１１１に送信する。プリントデータを受信したカラー複写機１０７や１１１は、そのプリントデータに基づいてプリント出力し、製本する。
【００１３】
以上によりユーザは、入場券に付加されている特殊なコードを会場１０１やコンビニエンスストア１０３で読取及び入力端末１０６や１１０に読取らせると同時に、その場で希望するプリント出力物を手にすることができる。そのプリント出力物は、会場１０２やコンビニエンスストア１０３では販売されていない。
（ユーザ登録）
図６はユーザがこのプリントサービスを利用するために、発券者１０２にある情報管理サーバ１０８にユーザ登録を行う際に、ユーザ宅１０４のホストコンピュータ１１２、又はコンビニエンスストア１０３に設置されている読取及び入力端末１１０や会場１０１に設置されている読取及び入力端末１０６により、発券者１０２にある情報管理サーバにＩｎｔｅｒ    Ｎｅｔ１０５を介してアクセスした場合に、ホストコンピュータ１１２若しくは読取及び入力端末１０６や１１０に表示される画面の一例である。
【００１４】
先ず、ユーザが、Ｉｎｔｅｒ    Ｎｅｔ１０５を介して、発券者１０２にある情報管理サーバ１０８にアクセスすると、図６を情報管理サーバ１０８よりＩｎｔｅｒ    Ｎｅｔ１０５を介してユーザのホストコンピュータ１１２若しくはコンビニエンスストア１０３に設置されている読取及び入力端末１１０又は会場に設置されている読取及び入力端末１０６に送信する。
【００１５】
ユーザは必要事項として、氏名、住所、電話番号、パスワード、パスワード確認を入力する。入力されたユーザの個人データは、ユーザのホストコンピュータ１１２若しくは読取及び入力端末１０６や１１０からＩｎｔｅｒ    Ｎｅｔ１０５を介して、情報管理サーバ１０８に入力される。そして、入力されたユーザの個人データは、情報管理サーバ１０８内のユーザデータベースに登録される。
【００１６】
登録されたユーザに対しては、発券者１０２が後日、会員カードを郵送する。入場券購入時には、この会員カードが必要になる。又、登録手段は、ユーザ宅１０４にあるホストコンピュータ１１２やコンビニエンスストア１０３に設置されている読取及び入力端末１１０や会場１０１に設置されている読取及び入力端末１０６に限らず、Ｉｎｔｅｒ    Ｎｅｔ１０５を介して、発券者１０２にある情報管理サーバ１０８にアクセスできれるものであれば何でも構わない。
（入場券購入）
発券者１０２によるユーザ登録が終了したユーザは、ユーザ宅１０４のホストコンピュータ１１２、コンビニエンスストア１０３に設置されている読取及び入力端末１１０や会場１０１に設置されている読取及び入力端末１０６を利用して、ＩｎｔｅｒＮｅｔ１０５を介してオンラインで、入場券を購入する。その場合に、ホストコンピュータ１１２、読取及び入力端末１１０、読取及び入力端末１０６の画面に表示される一例を図４及び図７に示す。
【００１７】
説明では例として映画の場合を示す。
【００１８】
１）申し込み場所がコンビニエンスストアや会場の場合：
先ず、ユーザが、読取及び入力端末１１０や１０６に入会時に発行される会員カードを挿入し、Ｉｎｔｅｒ    Ｎｅｔ１０５を介して、発券者１０２にある情報管理サーバ１０８にアクセスすると、図４を情報管理サーバ１０８よりＩｎｔｅｒ    Ｎｅｔ１０５を介してコンビニエンスストア１０３に設置されている読取及び入力端末１１０又は会場１０１に設置されている読取及び入力端末１０６に送信する。
【００１９】
ユーザは読取及び入力端末１１０や１０６により登録パスワードを入力する。ユーザ名及びパスワードを受け取った情報管理サーバ１０８はユーザ認証を行う。認証後、ＩｎｔｅｒＮｅｔ１０５を介して図８をコンビニエンスストア１０３に設置されている読取及び入力端末１１０又は会場１０１に設置されている読取及び入力端末１０６に送信する。
【００２０】
図７は公開されていて、且つ、このプリントサービスに登録されている映画の一覧である。その中からユーザが希望する映画を選択する。その情報は情報管理サーバ１０８に送信される。受信後、情報管理サーバ１０８は、ユーザが希望する映画の入場券用のプリントデータを作成する。この入場券には、プリントサービスが受けられるように特殊なコードが埋め込まれる仕組みになっている。その特殊なコードにはユーザの情報やこのプリントサービスを受けることができることが含まれている。
【００２１】
情報管理サーバ１０８により作成されたプリントデータは、Ｉｎｔｅｒ  Ｎｅｔ１０５を介して、会場１０１及びコンビニエンスストア１０３に設置されているカラー複写機１０７と１１１に送信され、プリントされる。
【００２２】
２）申し込み場所が自宅の場合：
ユーザ宅１０４のホストコンピュータ１１２から注文した場合には、Ｉｎｔｅｒ    Ｎｅｔ１０５を介して、発券者１０２にある情報管理サーバ１０８にアクセスすると、図４がホストコンピュータ１１２に送信される。この場合には、ユーザ名とパスワードを入力する必要がある。入力後、図７により映画を選択する。ユーザの選択後、情報管理サーバ１０８は、その入場券のプリントデータを発券者１０２に設置されているカラー複写機１０９に送信する。そのプリントデータには特殊コードが含まれる。
【００２３】
プリントデータを受信したカラー複写機１０９はプリントする。プリントされた入場券は後日、ユーザ宅１０４に郵送される。尚、この入場券のデザインは、一般に販売されている入場券とは全く異なるものである。
（会場入場時プリント注文受け付けシーケンス及び画面）
図３はプリントサービス注文受付を行う際のフローチャート、図４、図５、図８及び図９は注文受付時にユーザが会場１０１に設置されている読取及び入力端末１０６やコンビニエンスストア１０３に設置されている読取及び入力端末１１０に表示される画面の一例である。
【００２４】
先ず、ユーザは購入した入場券１０２を読取及び入力端末１０６や１１０に挿入する。読取及び入力端末１０６や１１０は、入場券に付加されている特殊なコードを読み取る。特殊なコードは、Ｉｎｔｅｒ    Ｎ  ｅｔ１０５を介して、情報管理サーバ１０８に呼び込まれる。読み込まれた特殊なコードには、ユーザ名、チケットの種類等の情報が含まれている。
【００２５】
特殊なコードが読み取られると、図４が読取及び入力端末１０６や１１０の画面に表示され、ユーザは登録パスワードを入力する。ユーザ名及びパスワードを受け取った情報管理サーバ１０８は、ユーザの確認を行う。
【００２６】
次に、ユーザは、プリント出力サービスを受けるための様々な設定を入力する必要がある。先ずはプリント出力物を受け取る場所を指定する。読取及び入力端末１０６や１１０の画面に図８が表示される。ユーザはプリント出力可能なカラー複写機１０７や１１１の設置されている会場１０１やコンビニエンスストア１０３からプリント出力物を出力し、その場で製本作業を行い持ち帰る、又は、発券者１０２の高画質出力可能なカラー複写機１０９により出力、製本した上で配送してもらうことから選べる。
【００２７】
次に、プリント出力物の選択を行う。図５が読取及び入力端末１０６や１１０の画面に表示される。プリント出力物形態を入力する。次に、図９の画面が表示される。この画面によりユーザは設定を確認する。読取及び入力端末１０６や１１０の画面にはユーザのプリント出力設定が表示される。内容確認に不満ならば設定をやり直す。
【００２８】
１）出力場所が会場やコンビニエンスストアの場合：
ユーザがプリント出力物の設定を終了確認した後、情報管理サーバ１０８はその設定に従ってプリントデータを作成する。作成されたプリントデータは、Ｉｎｔｅｒ    Ｎｅｔ１０５を介して会場１０１やコンビニエンスストア１０３に設置されているカラー複写機１０７や１１１に送信され、プリント出力されて、ユーザの設定によっては製本される。
【００２９】
２）出力先が発券者の場合：
ユーザがプリント出力物の設定を終了確認した後、情報管理サーバ１０８はその設定に従ってプリントデータを作成する。作成されたプリントデータは、Ｉｎｔｅｒ    Ｎｅｔ１０５を介して発券者に設置されているカラー複写機１０９に送信され、プリント出力されて、ユーザの設定によっては製本される。プリント出力物は、後日ユーザ宅１０４に配送される。
（特殊コードの管理）
読込及び入力端末１０６や１１０により読み込まれた特殊なコードはＩｎｔｅｒ    Ｎｅｔ１０５を介して発券者１０２の情報管理サーバ１０８に収集される。特殊なコードには、購入日、エンターテイメント名が表記されている。それらの情報は、情報管理サーバ１０８内で各ユーザの情報として管理される。
【００３０】
発券者１０２は、それらの情報を基にユーザのエンターテイメントの好み、アーティストの好みの統計を取ることができる。これらの統計結果を基に、発券者１０２は、情報管理サーバ１０８を用いて、ユーザが有効だと感じる情報を集め、その情報によりプリントデータを作成する。作成されたプリントデータは、情報管理サーバ１０８から発券者１０２にあるカラー複写機１０９に送信され、プリント出力されて、製本される。製本されたプリント出力物は、ダイレクトメールにより、ユーザ宅１０４に郵送される。
【００３１】
又、プリント出力によるダイレクトメール以外にも、特殊なコードから得られた情報により、ユーザ個人のサイトを用意する。そのサイトには、ユーザの好みのエンターテイメントやアーティスト情報が記載されている。
【００３２】
ユーザは、ユーザ宅１０４にあるホストコンピュータ１１２により情報管理サーバ１０８にアクセスすることにより、ユーザ個人のサイトを見ることができる。
【００３３】
【発明の効果】
以上説明したように、本発明によれば、特殊なコードを含む入場券を利用し、その入場券を持っている者しか味わえない特別なプリント出力物を得ることができる。又、そのプリント出力物は、非常に稀なものである。そして、ユーザの都合に合わせて、プリント場所を選ぶこともできる。更に、発券者サイドは、プリント出力サービスによる大幅な副収入を見込むことができ、コンビニエンスストアも今まで以上にプリント出力を見込むことができる。
【図面の簡単な説明】
【図１】本発明の実施の形態における概略図である。
【図２】本発明の実施の形態における入場券図である。
【図３】投票サービス、プリントサービス発注シーケンスの一例を示す図である。
【図４】プリントサービス発注時にホストコンピュータに表示される画面の一例を示す図である。
【図５】
プリントサービス発注時にホストコンピュータに表示される画面の一例を示す図である。
【図６】プリントサービス発注時にホストコンピュータに表示される画面の一例を示す図である。
【図７】プリントサービス発注時にホストコンピュータに表示される画面の一例を示す図である。
【図８】プリントサービス発注時にホストコンピュータに表示される画面の一例を示す図である。
【図９】プリントサービス発注時にホストコンピュータに表示される画面の一例を示す図である。
【符号の説明】
１０１    会場
１０２    発券者
１０３    コンビニエンスストア
１０４    ユーザ宅
１０５    Ｉｎｔｅｒ  ｎｅｔ
１０６    入力端末
１０７    カラー複写機
１０８    情報管理サーバ
１０９    カラー複写機
１１０    読取及び入力端末
１１１    カラー複写機
１１２    ホストコンピュータ
【図１】
2004280409.tif 000003
【図２】
2004280409.tif 000004
【図３】
2004280409.tif 000005
【図４】
2004280409.tif 000006
【図５】
2004280409.tif 000007
【図６】
2004280409.tif 000008
【図７】
2004280409.tif 000009
【図８】
2004280409.tif 000010
【図９】
2004280409.tif 000011